(57)【要約】【課題】本発明は電池を電源とし、明るさと振動を検知して点灯する照明装置に関するもので、取付部から取外して持ち歩く際の電池の消耗を未然に防止することを目的とする。【解決手段】照明装置は、照明具本体１と取付部２から構成し、照明具本体１を取付部２に取付けると点灯回路に導通し、取外すと導通を遮断する機能を設けたもので照明具本体１を取付部２から取外して持ち歩く際の電池の消耗を防止できる。また、取付部２は照明具本体１の嵌合部の回転止めの機能を持たせることで走行時の振動や転倒時の衝撃等による嵌合部の緩み及び脱落を防止できる。【選択図】  図１
2004189127.tif 000002
【特許請求の範囲】
【請求項１】
電池を電源とし、電源部と照明部を一体にした照明具本体と、前記照明具本体の取付部から構成される照明装置であって、前記照明具本体は明るさと振動を検知するセンサを備え、夜間もしくは暗がりと振動が付加されることで自動的に点灯する照明具本体からなり、照明具本体を取付部から取外すと回路が強制的に開放される事を特徴とする照明装置。
【請求項２】
電池を電源とし、電源部と照明部を一体にした照明具本体と、前記照明具本体の取付部から構成される照明装置であって、前記照明具本体は前記電源部と照明部を円周方向の回転によって嵌合一体化することで構成され、前記取付部は前記照明具本体の回転を抑制する緩み防止構造を有することを特徴とする照明装置。
【請求項３】
電池を電源とし、電源部と照明部を一体にした照明具本体と、前記照明具本体の取付部から構成される照明装置であって、前記取付部は取付対象物の構成部品に取付けられる締付部と、照明具本体を固定する固定部と、照明具本体を着脱する時に操作するボタンと、前記締付部と前記固定部を係合させかつ取付対象物への締付部の締付けをする結合部品から構成され、前記固定部からは前記ボタンと前記締付け部を貫通する突起が出ており、前記突起を軸に前記固定部と前記ボタンが、前記締付け部と相対的に回動する構造を有することを特徴とする請求項１、２記載の照明装置。
【請求項４】
照明装置が、自転車、自動二輪車の前照灯である請求項１、２、３記載の照明装置。
【発明の詳細な説明】
【０００１】
【発明の属する技術分野】
本発明は、電池を電源とし、夜間に使用される照明装置、特に自転車等の前照灯に関するものである。
【０００２】
【従来の技術】
電池を電源とし、照明具本体と、照明具本体の取付部から構成される照明装置、例えば自転車用の前照灯は、前輪横に取付けられるタイプとハンドルに取付けられるタイプの大きく２つに分けられる。従来、前輪横に取付けられるタイプには、使用するときにスイッチを入れて使う物の他に、暗がりで走行すると振動センサと光センサの働きにより自動で点灯する物がある。（例えば、特許文献１参照。）しかし、ハンドルに取付けられるタイプは使用するときにスイッチを入れて使う物だけであった。
【０００３】
また、自転車等の前照灯は走行時の激しい振動や転倒時の強い衝撃を考慮し、電源部と照明部の嵌合部は強固な作りとなる場合が多く、電池交換作業はドライバー等の道具を用いる等、手間の掛かる構造のものが多かった。
【０００４】
【特許文献１】
特開平７−１１７７４９号公報
【０００５】
【発明が解決しようとする課題】
ハンドルに取付けられるタイプの前照灯は、購入者が簡単に取付けできるように、使う工具はせいぜいドライバー程度であり、中には工具の必要性が無い物もある。しかしながら、取付け易さの反面取外し易い構造のため、盗難に対する配慮が必要となっている。その対策として、ハンドルに取付ける取付部と照明具本体がワンタッチで着脱可能な構造にし、自転車から離れる際は照明具本体をバッグ等に入れ持ち歩く、すなわち自転車には取付部のみが着いた状態になる方式を採っている。この場合、ハンドル取付けタイプに自動点灯機能をつけても、バッグ等に入れて携帯する間に暗がりと振動を検知して点灯し、電池を消耗してしまう課題がある。
【０００６】
また、自転車等の前照灯は走行時の激しい振動や転倒時の強い衝撃を考慮し、電源部と照明部の嵌合部は強固な作りとなる場合が多く、電池交換作業はドライバー等の道具を用いる等、手間が掛かる課題や、衝撃で電池蓋等が外れ紛失する課題がある。
【０００７】
更に、前照灯は前方の真中の領域を照らし出すことが理想であるが、ハンドル取付けタイプの前照灯の場合、ハンドルの形状により前照灯の取付部がハンドルの中心から離れた所にしか設置できずに、前方の中央から左右に少しずれた領域しか照らすことができない課題も存在する。
【０００８】
【課題を解決するための手段】
本発明は上記課題を解決するために、電源部と照明部を一体にした照明具本体と、前記照明具本体の取付部から構成される照明装置とし、前記照明具本体は明るさと振動を検知するセンサを備え、夜間もしくは暗がりと振動が付加されることで自動的に点灯する照明具本体からなり、照明具本体を取付部から取外すと回路が強制的に開放される連動スイッチを設ける。また、前記照明具本体は前記電源部と照明部を円周方向の回転によって嵌合一体化することで構成され、前記取付部は前記照明具本体の回転を抑制する緩み防止構造を有する。取付部は取付対象物の構成部品に取付けられる締付部と、照明具本体を固定する固定部と、照明具本体を着脱する時に操作するボタンと、前記締付部と前記固定部を係合させかつ取付対象物への締付部の締付けをするための結合部品から構成され、前記固定部からは前記ボタンと前記締付け部を貫通する突起が出ており、前記突起を軸に前記固定部と前記ボタンが、前記締付け部と相対的に回動する構造を有する。
【０００９】
本発明は上記した構成により、照明具本体を自転車から取外し持ち歩く際に、勝手に点灯して電池を消耗し、いざ使いたい時に使えないといった問題を改善すると共に、取付部が照明具本体嵌合部の回転止めの働きを持つ為、走行時の振動や転倒時の衝撃等による嵌合部の緩みを防止する。また、ハンドルの形状により中心から離れた所に取付けても、前方の中央を照らし出すことができる。すなわち機能・安全面で品質の高い照明装置を提供することができるものである。
【００１０】
【発明の実施の形態】
以下本発明の一実施例を図１、図２、図３、図５を用いて説明する。
【００１１】
照明装置は図１に示すように、大きく分けて、電池を収納する電源部、制御基板や豆球等を収納する照明部及び自転車へ取付けるための取付部の３ブロックで構成されている。
【００１２】
電源部と照明部から構成される照明具本体１の電池ケース３には電池を中継する導通ばね４が設けられており、本体ケース５には電池の端子と接触する導通板６と、その導通板６に連絡された接触型スイッチ７及び制御基板８、前記スイッチ７の下方には上下にしゅう動可能なピン９、前記制御基板８の前方には基板を保護すると共に、豆球等の光源及び光を前方に反射する反射鏡１０等を保持する機能を持つ基板カバー１１が設けられており、その前方にはレンズ１２が位置する。前記本体ケース５と電池ケース３は、バイヨネットもしくはネジ嵌合により結合される。また図４に示す取付部２は、照明具本体１の電池ケース３及び本体ケース５の下部にある凸レールに沿うように嵌合される固定部１３、自転車のハンドルに巻きつける為の締付部１４、前記固定部１３と締付部１４を結合するとともにハンドルに締付ける為のネジ１６と上記固定部１３に圧入固定されたナット１７、照明具本体１を取付部２にセットした時に、図３に示す電池ケース３下部の凸レールにある窪み１９にはまり込む図５に示す掛かり部２０を両端に備えたボタン１８により構成されている。
【００１３】
上記構成において動作を説明する。取付部２のネジ１６を外し、自転車のハンドルに巻きつけた状態でネジ１６を締付けていくことで取付部２は固定される。ネジ１６の締め付けの際固定部１３を左右に回すと、固定部１３とボタン１８が固定部１３の突起１５を軸に回転し、照射方向の調整ができ、ネジ１６をしっかり締め付けることで照射方向が固定される。照明具本体１の本体ケース５と電池ケース３は、バイヨネット嵌合されており、本体ケース５を固定した状態で電池ケース３を回すと電池ケース３が取外され、電池交換が行なえる。自転車のハンドルに取付られた取付部２へ照明具本体１を刺し込むと、図５に示す取付部２のボタン１８の掛かり部２０が、照明具本体１の電池ケース３下部の凸レールにある窪み１９にはまり込み固定される。また、取付部２の上面により本体ケース５にあるピン９が上方に動きスイッチ７が短絡され照明具本体１が導通状態になる。この状態で、夜間もしくは暗がりを走ると制御基板６にある振動センサと光センサの働きにより、光源が点灯する。走行時は照明具本体１に激しい振動がかかることが考えられるが、取付部２が電池ケース３と本体ケース５の凸レールへ両部品に跨るように嵌合されている為、取付部２が回転止めの働きをして、嵌合が緩むのを防止できる。
【００１４】
自転車から離れる際は、取付部２のボタン１８を前方に押して掛かり部２１を内側に逃がし、窪み１９の掛かりから解除させながら照明具本体１を前方から引抜き取付部２から外す。この際、本体ケース５にあるピン９は開放され、下方に下がりスイッチ７が開放状態になり、振動や暗がりを検知しても点灯動作がしなくなる。
【００１５】
このように本発明の実施例の自転車用前照灯によれば、照明具本体１の取付部２への着脱と連動するスイッチ構造、バイヨネット嵌合方式による電池ケース３の着脱、照明具本体１を取付部２にセットした時に、取付部２が電池ケース３と本体ケース５の両部品に跨る構造としていることから、使い勝手が良く、かつ機能・安全面で品質の向上を図ることができる。
【００１６】
【発明の効果】
以上の説明から明らかなように、本発明は上記した構成により、取付部から取外し持ち歩く際に勝手に点灯して電池を消耗し、いざ使いたい時に使えないといった問題を改善すると共に、取付部が照明具本体の嵌合部の回転止めの働きを持つ為、走行時の振動や転倒時の衝撃等による嵌合部の緩み及び脱落を防止し、またハンドルの形状により中心から離れた所に取付けても、前方の中央を照らし出すことができる、機能・安全面で品質の高い照明装置を提供できる。
【図面の簡単な説明】
【図１】本発明に係る照明装置を示す側面図
【図２】本発明の実施の形態の照明具本体の要部断面図
【図３】本発明の実施の形態の照明具本体の底面図
【図４】本発明の取付部の要部断面図
【図５】本発明の実施の形態の取付部の上面図
【符号の説明】
１  照明具本体
２  取付部
３  電池ケース
４  導通ばね
５  本体ケース
６  導通板
７  スイッチ
８  制御基板
９  ピン
１０  反射鏡
１１  基板カバー
１２  レンズ
１３  固定部
１４  締付部
１５  突起
１６  ネジ
１７  ナット
１８  ボタン
１９  窪み
２０  掛かり部
【図１】
2004189127.tif 000003
【図２】
2004189127.tif 000004
【図３】
2004189127.tif 000005
【図４】
2004189127.tif 000006
【図５】
2004189127.tif 000007